(57)【特許請求の範囲】
【請求項１】
中空状でフェース面側が開口した金属製のヘッド本体と、前記ヘッド本体の開口部に接合されフェース面を形成するフェース面部材とを有するゴルフクラブヘッドにおいて、
前記ヘッド本体に前記フェース面部材が接合された状態で、前記ヘッド本体内に、前記フェース面部材の内面を押圧したスプリング部材と、前記スプリング部材が前記フェース面部材の内面を押圧する押圧力を調節する調節部材を設け、
前記調節部材の位置を、前記ゴルフクラブヘッドの重心位置に設け、
前記調節部材は、前記ヘッド本体のソール部に形成された凹部内で前記調節部材の頭部が露出して位置し、
前記調節部材は雄ネジを有し、前記調節部材に設けられたストッパ部に前記スプリング部材が当接し、前記雄ネジが前記凹部に形成された取付孔の雌ネジに螺合し、前記調節部材の位置を調節して前記フェース面部材の内面を押圧する押圧力を調節可能にしたことを特徴とするゴルフクラブ。
【請求項２】
前記雄ネジを介して前記調節部材の位置を調節し、前記スプリング部材の押圧力を強くするように調整すると、前記ゴルフクラブヘッドの重心深度が浅くなる請求項１記載のゴルフクラブ。
【請求項３】
前記フェース面部材の裏面側に、長手方向に複数本の溝部から成るスコアラインが形成され、前記スコアラインの中央部に前記スプリング部材が当接している請求項１または２記載のゴルフクラブ。
【発明の詳細な説明】
【技術分野】
【０００１】
この発明は、金属製の外殻により形成されたメタルウッドと称されるゴルフクラブヘッドを備えたゴルフクラブに関する。
【背景技術】
【０００２】
近年のいわゆるメタルウッドは、鋳造により本体部分を形成し、前面のフェース部を溶接により接合してヘッド部分を形成している。この種のゴルフクラブの特に１番ウッドであるドライバーにおいては、軽量で打球時の反発力がより強いゴルフクラブヘッドが求められている。特に、ゴルフクラブヘッドのフェース面でのスプリング効果は、打球の飛距離を伸ばす上で効果的である。
【０００３】
そこで、ゴルフクラブヘッド内にスプリングを内蔵し、フェース面の裏面をそのスプリングで押圧して、打球に勢いを与えるようにしたゴルフクラブが提案されている。
【０００４】
この種のゴルフクラブとして、例えば特許文献１では、ゴルフクラブヘッド内にウエイトとスプリング設け、フォワードスイング時にウエイドに慣性力が作用してスプリングを変位させ、反発力を蓄える。そして、打球時には、この反発力とウエイトの慣性によるエネルギーがボールに伝達され、ボールを飛ばすエネルギーとして放出されるとしている。
【０００５】
また、特許文献２には、ゴルフクラブヘッドのフェース板を、ゴルフクラブヘッド内へ摺動自在とし、フェース板の打球面とは反対側の裏面を、ゴルフクラブヘッド内の空間に設けられたスプリングで押圧したゴルフクラブヘッドが開示されている。このゴルフクラブヘッドは、打球時にはスプリングの弾性反発力で打球を加勢するとともに、フェース板を筒状に形成し、空間部を構成する内壁に摺動自在に嵌合させて形成し、フェース板の揺動を防止するとともにフェース面に対して直交方向に進退可能にしたものである。
【先行技術文献】
【特許文献】
【０００６】
【特許文献１】特開平１０−２３４８８９号公報
【特許文献２】特開２００４−１６７８３号公報
【発明の概要】
【発明が解決しようとする課題】
【０００７】
上記従来の技術の特許文献１に開示されたゴルフクラブの場合、ゴルフクラブヘッド内のウエイトがフェース面の裏面に位置し、ゴルフクラブヘッドの重心がフェース面に近くなるものである。これにより、重心深度が浅くなり、打球が上がりにくく特に初心者には難しいゴルフクラブとなってしまうものであった。さらに、ゴルフクラブヘッド内にウエイトやスプリングを設けることにより、重量が重くなり、可動式のウエイトにより、内部でのウエイトや軸部材の損傷が発生し易く、実用的なものではなかった。
【０００８】
また、特許文献２に開示されたゴルフクラブの場合、ゴルフクラブヘッド内フェース板がゴルフクラブヘッド内へ摺動して移動することから、耐久性がなく、内部のスプリングのみでは十分な打球の飛距離を得ることができないものであった。
【０００９】
この発明は、上記従来の技術の問題点に鑑みて成されたもので、フェース面での打球の反発を効果的に高め、打球時のボールの球速を上げて、ボールの飛距離を延ばすことが可能であるとともに、使用者にとって最適な性能に調整可能な金属製のゴルフクラブヘッドを備えたゴルフクラブを提供することを目的とする。
【課題を解決するための手段】
【００１０】
この発明は、中空状でフェース面側が開口した金属製のヘッド本体と、前記ヘッド本体の開口部に接合されフェース面を形成するフェース面部材とを有するゴルフクラブヘッドであって、前記ヘッド本体に前記フェース面部材が接合された状態で、前記ヘッド本体内に、前記フェース面部材の内面を押圧したスプリング部材と、前記スプリング部材により前記フェース面部材の内面を押圧する押圧力を調節する調節部材を設け、前記調節部材の位置を、前記ゴルフクラブヘッドの重心位置に設け、前記調節部材は、前記ヘッド本体のソール部に形成された凹部内で前記調節部材の頭部が露出して位置し、前記調節部材は雄ネジを有し、前記調節部材に設けられたストッパ部に前記スプリング部材が当接し、前記雄ネジが前記凹部に形成された取付孔の雌ネジに螺合し、前記調節部材の位置を調節して前記フェース面部材の内面を押圧する押圧力を調節可能にしたゴルフクラブである。
【００１１】
前記雄ネジを介して前記調節部材の位置を調節し、前記スプリング部材の押圧力を強くするように調整すると、前記ゴルフクラブヘッドの重心深度が浅くなるものである。
【００１２】
また、前記フェース面部材の裏面側に、長手方向に複数本の溝部から成るスコアラインが形成され、前記スコアラインの中央部に前記スプリング部材が当接しているとよい。
【発明の効果】
【００１３】
この発明のゴルフクラブは、ゴルフクラブヘッド内部でフェース面部材内面をスプリング部材により押圧するとともに、その押圧力の調節部材をゴルフクラブヘッドの重心位置に設けて、ゴルフクラブヘッドの重心深度を適切に維持しつつ、押圧力の調整を可能としたものである。
【００１４】
しかも、スプリング部材によるフェース面部材への押圧力を強くするようにスプリング部材を調整すると、ゴルフクラブヘッドの重心深度も浅くなり、打球の弾道が高くならないようにして球速を高めることができる。逆に押圧力を弱くするように調節すると、重心深度が深くなり、打球が上がり易くなり、より初級者向きのゴルフクラブヘッドとすることができる。これにより、幅広いゴルフプレーヤーに対応可能なゴルフクラブとすることができ、使用者の競技レベルの上達に合わせて買い換えなくても、同じゴルフクラブを調整することにより、最適の状態のゴルフクラブとして使用することができる。
【図面の簡単な説明】
【００１５】
【図１】この発明の一実施形態のゴルフクラブヘッドの縦断面斜視図である。
【図２】この実施形態のゴルフクラブヘッドの縦断面図である。
【図３】この実施形態のゴルフクラブヘッドの横断面図である。
【発明を実施するための形態】
【００１６】
以下、この発明の実施の形態について図面に基づいて説明する。図１〜図３はこの発明の一実施形態のゴルフクラブヘッドを示すもので、この実施形態のゴルフクラブヘッド１０は、ボールを打つフェース面１２とその後側に設けられたヘッド本体１４とから成る。
【００１７】
フェース面１２は、ボールを打つ面であり、ヘッド本体１４の開口部に、鍛造により形成されたβ型チタン合金等のフェース面部材１２ａが溶接等により接合され形成されている。フェース面部材１２ａの厚みは、１．８ｍｍ〜３．２ｍｍの範囲で適宜設定することができる。例えば、高反発に設定する場合１．８ｍｍ〜２．０ｍｍの範囲が好ましく、逆に低反発に設定する場合は、３．０ｍｍ〜３．２ｍｍにしてもよい。フェース面１２の裏面には、ゴルフクラブ１０を構えたときの水平方向に、溝状のスコアライン１２ｂが複数本形成されている。
【００１８】
ヘッド本体１４は、中空で一体に鋳造され、６−４チタン（Ti-6Al-4V）や８１１チタン等のチタン合金により形成されている。ヘッド本体１４の肉厚は、例えば１．０〜１．７ｍｍで、部位により適宜異なる厚みにも設定可能である。この実施形態のゴルフクラブヘッド１０の体積は、ドライバーヘッドの規制値範囲内である４６０ｃｍ３に設定されている。ヘッド本体１４の下面であるソール部１４ａには、後述する調節部材２０を取り付けて操作するための凹部１６が形成されている。
【００１９】
ソール部１４ａの凹部１６は、ソール部１４ａの中央部分を断面Ｌ字状に切除した形状に形成され、Ｌ字状の断面のフェース面１２に対面する面１６ａに、調節部材２０の取付孔２２が形成されている。凹部１６の面１６ａ及び取付孔２２は、ヘッド本体１４のほぼ重心位置に形成されている。取付孔２２は、フェース面１２に向かうように筒状に、ヘッド本体１４と一体に形成され、内周面に雌ネジ２２ａが形成されている。雌ネジ２２ａは、調節部材２０の雄ネジ２０ａが螺合可能に設けられている。
【００２０】
調節部材２０は、雄ネジ２０ａが形成された先端部にフランジ状のストッパ部２４が同心状に設けられ、さらにその突出方向先端に、コイルスプリングであるスプリング部材２６が装着される嵌合部２８が形成されている。なお、ストッパ部２４はフランジ状の他、嵌合部２８がスプリング部材２６の外側に嵌合して、所定位置に当接するように形成された段部でも良い。そして、調節部材２０は、ストッパ部２４がスプリング部材２６に当接し、凹部１６に形成された取付孔２２の雌ネジ２２ａに雄ネジ２０ａが螺合し、凹部１６の面１６ａの外側に、調節部材２０の頭部２０ｂが露出し、外部から調節部材２０を回転させて位置調節可能に設けられている。
【００２１】
ヘッド本体１４のヒール部１４ｂには、シャフト取付パイプ部３０が、鋳造により一体形成されている。シャフト取付パイプ部３０は、シャフト３２を差し込んで固定される有底筒状部である。さらに、ヘッド本体１４のソール部１４ａの左右側方は、バランス調整用の図示しない重りを選択的に取り付け可能な重り取付孔３４が形成されている。重り取付孔３４も有底で一体に鋳造されている。
【００２２】
このゴルフクラブヘッド１０の製造方法は、まず各種β型チタン合金等によりフェース面部材１２ａを鍛造し、厚み及び形状を整える。ヘッド本体１４は６−４チタンや８１１チタン等を用いて鋳造し、中空の所定形状に成形し、形状を整える。この後、フェース面部材１２ａをヘッド本体１４のフェース側の開口部に溶接する。溶接は、フェース面部材１２ａの全周をヘッド本体１４の開口部周縁全周に施して接合する。この後、溶接部を研磨し表面を整える。さらに、その他表面の塗装等の必要な処理を行う。
【００２３】
この後、調節部材２０にスプリング部材２６を装着して、調節部材２０を凹部１６の取付孔２２に螺合する。そして、スプリング部材２６がフェース面部材１２ａの裏面に圧接し押圧するように調節部材２０を回転して、押圧力を調節する。
【００２４】
この実施形態のゴルフクラブは、ゴルフクラブヘッド１０内部でフェース面１２の内面をスプリング部材２６により押圧し、その押圧力の調節部材２０をゴルフクラブヘッド１０の重心位置に設けているので、ゴルフクラブヘッド１０の重心深度を適切に維持しつつ、フェース面１２の反発性能の調整を可能としたものである。しかも、スプリング部材２６によるフェース面部材１２への押圧力を強くするようにスプリング部材２６を調整すると、フェース面１２の撓みの弾性係数が大きくなり、ゴルフクラブヘッド１０の重心深度も浅くなり、打球の弾道が必要以上に高くならないようにして球速を高めることができ、飛距離を伸ばすことができる。逆に押圧力を弱くするように調節すると、フェース面１２の撓みの弾性係数が小さくなり、重心深度が深くなり、柔らかく反発し、打球が上がり易くなり、より初級者向きのゴルフクラブヘッドとすることができる。
【００２５】
従って、幅広いゴルフプレーヤーに対応可能なゴルフクラブとすることができるとともに、同じ使用者において、競技レベルの上達に合わせてゴルフクラブを買い換えなくてもよく、使用しているゴルフクラブを調整することにより、最適の状態のゴルフクラブとして長く使い続けることができる。
【００２６】
尚、この発明のゴルフクラブは、上記実施形態に限定されず、フェース面部材やヘッド本体の形状、各部の厚さや材料は、適宜設定可能なものであり、チタンやチタン合金の種類も適宜選択することができる。例えば、β型チタン合金としては、Ti-22V-4Al合金や、Ti-13V-11Cr-3Al合金、Ti-11.5Mo-6Zr-4.5Sn合金及び、Ti-15Mo-3Cr-3Sn-3Al等でも良く、この他のチタン合金であっても良い。さらに、ヘッド本体１４の形成は、鋳造以外に複数のパーツを鍛造により形成して溶接して成る鍛造構造のものでも良く、構成するパーツ数は適宜設定され得る。
【符号の説明】
【００２７】
１０  ゴルフクラブヘッド
１２  フェース面
１２ａ  フェース面部材
１４  ヘッド本体
１４ａ  ソール部
１６  凹部
２０  調節部材
２０ａ  雄ネジ
２０ｂ  頭部
２２  取付孔
２２ａ  雌ネジ
２４  ストッパ部
２６  スプリング部材
２８  嵌合部
３０  シャフト取付パイプ部
３２  シャフト
【図１】
0006516284.tif 000002
【図２】
0006516284.tif 000003
【図３】
0006516284.tif 000004